(57)【要約】【課題】展開時に被処理物から剥がれることのないようにする。【解決手段】被処理物Ａに粘着剤Ｂを介して接着された固定部１と、該固定部１の一端において折り返された第１接続部１ａに連結され且つ前記固定部１の表面に対して粘着剤Ｂを介して接着された第１展開部２と、該第１展開部２の一端において折り返された第２接続部２ａに連結され且つ前記第１展開部２の表面に対して粘着剤Ｂを介して接着された第２展開部３と、該第２展開部３の先端に設けられた摘まみ部４とからなる後処理テープにおいて、前記第１および第２接続部１ａ，２ａと前記固定部１および前記第１展開部２とを粘着剤Ｂを介して接着して、摘まみ部４を持ち上げて第２および第１展開部３，２を剥がす時、第１および第２接続部１ａ，２ａが、第１および第２展開部２，３に引っ張られて変形することがなくなるようにしている。【選択図】        図２
2004223123.tif 000002
【特許請求の範囲】
【請求項１】
被処理物に粘着剤を介して接着された固定部と、該固定部の一端において折り返された第１接続部に連結され且つ前記固定部の表面に対して粘着剤を介して接着された第１展開部と、該第１展開部の一端において折り返された第２接続部に連結され且つ前記第１展開部の表面に対して粘着剤を介して接着された第２展開部と、該第２展開部の先端に設けられた摘まみ部とからなる後処理テープであって、前記第１および第２接続部と前記固定部および前記第１展開部とを粘着剤を介して接着したことを特徴とする後処理テープ。
【請求項２】
液透過性のトップシートと、液不透過性のバックシートと、該バックシートと前記トップシートとの間に介在された吸収体とからなり、前記バックシートの適所に後処理テープを設けてなる使い捨ておむつであって、前記後処理テープを、前記バックシートに粘着剤を介して接着され且つウエスト側から股側に向かって延びる固定部と、該固定部のウエスト側一端において折り返された第１接続部に連結され且つ前記固定部の表面に対して粘着剤を介して接着された第１展開部と、該第１展開部の股側一端において折り返された第２接続部に連結され且つ前記第１展開部の表面に対して粘着剤を介して接着された第２展開部と、該第２展開部の先端に設けられた摘まみ部とによって構成するとともに、前記第１および第２接続部と前記固定部および前記第１展開部とを粘着剤を介して接着したことを特徴とする使い捨ておむつ。
【発明の詳細な説明】
【０００１】
【発明の属する技術分野】
本願発明は、後処理テープおよび使い捨ておむつに関するものである。
【０００２】
【従来の技術】
使用済みの使い捨ておむつ等を丸めて処理する際に用いられる後処理テープとしては、三重に折り畳まれてＺ字状に構成されたものが従来からよく知られている（例えば、特許文献１参照）。
【０００３】
上記構成の後処理テープＴは、図４に示すように、被処理物（例えば、使い捨ておむつＡ）のバックシートに粘着剤Ｂを介して接着された固定部１と、該固定部１の一端において折り返された第１接続部１ａに連結され且つ前記固定部１の表面に対して粘着剤Ｂを介して接着された第１展開部２と、該第１展開部２の一端において折り返された第１接続部２ａに連結され且つ前記第１展開部２の表面の表面に対して粘着剤Ｂを介して接着された第２展開部３と、該第２展開部３の先端に設けられた摘まみ部４とからなっており、前記第１展開部２には、ウエスト側Ｗ方向に大きく延設された延設部２ｂが形成される一方、前記第２展開部３には、股側Ｋ方向に若干延設された延設部３ａが形成されている。
【０００４】
そして、この後処理テープＴは、摘まみ部４を矢印Ｐの方向に持ち上げ、第２および第１展開部２，３を剥がして展開し、図５に示すように、丸めた使い捨ておむつＡの股側Ｋに第２展開部３を接着させることにより、使い捨ておむつＡを丸めた状態に保持し得るように作用することとなっている。このようにすると、使い捨ておむつＡがかさばることなく容易に処理できるのである。
【０００５】
【特許文献１】
特開２００１−２５８９３８。
【０００６】
【発明が解決しようとする課題】
ところが、上記構成の従来の後処理テープＴの場合、第１および第２接続部１ａ，２ａと固定部１および第１展開部２との間は、折り返されているため粘着剤の塗布が難しい部分であり、粘着剤が存在していない非接着部Ｃとなっている。このような構造の場合、摘まみ部４をもって第２および第１展開部２，３を剥がす時、第１および第２接続部１ａ，２ａが、第１および第２展開部２，３に引っ張られて変形し、該変形に伴って固定部１が被処理物Ａから浮いて剥がれてしまうおそれがある。特に、被処理物Ａが柔らかな材質である不織布からなるバックシートであると、上記した固定部１の剥がれが頻繁に起こるおそれがある。このような固定部１の剥がれ現象は、後処理テープＴによる処理を不能に陥らせるところから、改善が待たれている。
【０００７】
本願発明は、上記の点に鑑みてなされたもので、展開時に被処理物から剥がれることのないようにすることを目的としている。
【０００８】
【課題を解決するための手段】
本願発明では、上記課題を解決するための第１の手段として、被処理物に粘着剤を介して接着された固定部と、該固定部の一端において折り返された第１接続部に連結され且つ前記固定部の表面に対して粘着剤を介して接着された第１展開部と、該第１展開部の一端において折り返された第２接続部に連結され且つ前記第１展開部の表面に対して粘着剤を介して接着された第２展開部と、該第２展開部の先端に設けられた摘まみ部とからなる後処理テープにおいて、前記第１および第２接続部と前記固定部および前記第１展開部とを粘着剤を介して接着している。
【０００９】
上記のように構成したことにより、第１および第２接続部と前記固定部および前記第１展開部とが粘着剤を介して接着されることとなるので、摘まみ部を持ち上げて第２および第１展開部を剥がす時、第１および第２接続部が、第１および第２展開部に引っ張られて変形することがなくなる。従って、固定部と被処理物との接着部分が剥がれてしまうということがなくなるのである。つまり、後処理テープとしての機能を常時発揮できることとなるのである。
【００１０】
本願発明では、上記課題を解決するための第２の手段として、液透過性のトップシートと、液不透過性のバックシートと、該バックシートと前記トップシートとの間に介在された吸収体とからなり、前記バックシートの適所に後処理テープを設けてなる使い捨ておむつにおいて、前記後処理テープを、前記バックシートに粘着剤を介して接着され且つウエスト側から股側に向かって延びる固定部と、該固定部のウエスト側一端において折り返された第１接続部に連結され且つ前記固定部の表面に対して粘着剤を介して接着された第１展開部と、該第１展開部の股側一端において折り返された第２接続部に連結され且つ前記第１展開部の表面に対して粘着剤を介して接着された第２展開部と、該第２展開部の先端に設けられた摘まみ部とによって構成するとともに、前記第１および第２接続部と前記固定部および前記第１展開部とを粘着剤を介して接着している。
【００１１】
上記のように構成したことにより、第１および第２接続部と前記固定部および前記第１展開部とが粘着剤を介して接着されることとなるので、摘まみ部を持ち上げて第２および第１展開部を剥がす時、第１および第２接続部が、第１および第２展開部に引っ張られて変形することがなくなる。従って、固定部と柔らかな材質（即ち、不織布）からなるバックシートとの接着部分が剥がれてしまうということがなくなるのである。つまり、後処理テープとしての機能を常時発揮できることとなるのである。
【００１２】
【発明の実施の形態】
以下、添付の図面を参照して、本願発明の好適な実施の形態について説明する。
【００１３】
この後処理テープＴは、図１に示すように、使い捨ておむつＡの後処理用として使用されるものである。
【００１４】
前記使い捨ておむつＡは、液透過性のトップシート１１と、液不透過性のバックシート１２と、該バックシート１２と前記トップシート１１との間に介在された吸収体１３とを備えて構成されている。
【００１５】
前記後処理テープＴは、被処理物である使い捨ておむつＡのバックシート１２における適所（例えば、後見頃における左右方向中央部であってウエスト側Ｗに寄った位置）に取り付けられており、前記バックシート１２に粘着剤Ｂを介して接着され且つウエストＷ側から股側Ｋに向かって延びる固定部１と、該固定部１のウエストＷ側一端において折り返された第１接続部１ａに連結され且つ前記固定部１の表面に対して粘着剤Ｂを介して接着された第１展開部２と、該第１展開部２の股Ｋ側一端において折り返された第２接続部２ａに連結され且つ前記第１展開部２の表面に対して粘着剤Ｂを介して接着された第２展開部３と、該第２展開部３の先端に設けられた摘まみ部４とによって構成されており、前記第１展開部２には、ウエスト側Ｗ方向に大きく延設された延設部２ｂが形成される一方、前記第２展開部３には、股側Ｋ方向に若干延設された延設部３ａが形成されている。
【００１６】
そして、前記第１および第２接続部１ａ，２ａと前記固定部１および前記第１展開部２とは粘着剤Ｂを介して接着されている。
【００１７】
この後処理テープＴは、前述したように、摘まみ部４を矢印Ｐの方向に持ち上げ、第２および第１展開部２，３を剥がして展開し、丸めた使い捨ておむつＡの股側Ｋに第２展開部３を接着させることにより、使い捨ておむつＡを丸めた状態に保持し得るように作用することとなっている（図５参照）。このようにすると、使い捨ておむつＡがかさばることなく容易に処理できるのである。
【００１８】
本実施の形態においては、第１および第２接続部１ａ，２ａと前記固定部１および前記第１展開部２とが粘着剤Ｂを介して接着されることとなるので、摘まみ部４を持ち上げて第２および第１展開部３，２を剥がす時、第１および第２接続部１ａ，２ａが、第１および第２展開部２，３に引っ張られて変形することがなくなる。従って、固定部１と柔らかな材質（即ち、不織布）からなるバックシート１２との接着部分が剥がれてしまうということがなくなるのである。つまり、後処理テープとしての機能を常時発揮できることとなるのである。
【００１９】
ちなみに、前記第１接続部１ａに使用される粘着剤Ｂの糊厚および糊幅を変えた実施例１〜４および比較例１、２について、剥離強度および剥がれ枚数（１００枚中）を測定したところ、表１に示す結果が得られた。なお、上記測定は、折り返し部分の両端をストログラフのチャックで固定し、そのときに出た剥離強度のピークを読むことにより行った。
【００２０】
【表１】
2004223123.tif 000003
【００２１】
上記結果によれば、糊厚は２０μｍ以上、糊幅は６．０ｍｍ以上とするのが望ましいことが分かる。
【００２２】
なお、この後処理テープは、使い捨ておむつ以外の吸収性物品にも適用可能である。
【００２３】
【発明の効果】
本願発明の第１の手段によれば、被処理物に粘着剤を介して接着された固定部と、該固定部の一端において折り返された第１接続部に連結され且つ前記固定部の表面に対して粘着剤を介して接着された第１展開部と、該第１展開部の一端において折り返された第２接続部に連結され且つ前記第１展開部の表面に対して粘着剤を介して接着された第２展開部と、該第２展開部の先端に設けられた摘まみ部とからなる後処理テープにおいて、前記第１および第２接続部と前記固定部および前記第１展開部とを粘着剤を介して接着して、摘まみ部を持ち上げて第２および第１展開部を剥がす時、第１および第２接続部が、第１および第２展開部に引っ張られて変形することがなくなるようにしたので、固定部と被処理物との接着部分が剥がれてしまうということがなくなり、後処理テープとしての機能を常時発揮できるという効果がある
本願発明の第２の手段によれば、液透過性のトップシートと、液不透過性のバックシートと、該バックシートと前記トップシートとの間に介在された吸収体とからなり、前記バックシートの適所に後処理テープを設けてなる使い捨ておむつにおいて、前記後処理テープを、前記バックシートに粘着剤を介して接着され且つウエスト側から股側に向かって延びる固定部と、該固定部のウエスト側一端において折り返された第１接続部に連結され且つ前記固定部の表面に対して粘着剤を介して接着された第１展開部と、該第１展開部の股側一端において折り返された第２接続部に連結され且つ前記第１展開部の表面に対して粘着剤を介して接着された第２展開部と、該第２展開部の先端に設けられた摘まみ部とによって構成するとともに、前記第１および第２接続部と前記固定部および前記第１展開部とを粘着剤を介して接着して、摘まみ部を持ち上げて第２および第１展開部を剥がす時、第１および第２接続部が、第１および第２展開部に引っ張られて変形することがなくなるようにしたので、固定部と柔らかな材質（即ち、不織布）からなるバックシートとの接着部分が剥がれてしまうということがなくなり、後処理テープとしての機能を常時発揮できるという効果がある。
【図面の簡単な説明】
【図１】本願発明の実施の形態にかかる後処理テープを備えた使い捨ておむつの正面図である。
【図２】本願発明の実施の形態にかかる後処理テープの拡大断面図（図１のＩＩ−ＩＩ断面図）である。
【図３】本願発明の実施の形態にかかる後処理テープの展開時の状態を示す拡大断面図である。
【図４】従来の後処理テープの拡大断面図である。
【図５】後処理テープの使用状態を示す斜視図である。
【符号の説明】
１は固定部、１ａは第１接続部、２は第１展開部、２ａは第２接続部、３は第２展開部、４は摘まみ部、１１はトップシート、１２はバックシート、１３は吸収体、Ａは被処理物（使い捨ておむつ）、Ｔは後処理テープ、Ｋは股側、Ｗはウエスト側。
【図１】
2004223123.tif 000004
【図２】
2004223123.tif 000005
【図３】
2004223123.tif 000006
【図４】
2004223123.tif 000007
【図５】
2004223123.tif 000008